(57)【要約】【課題】  光源の背後に配置した反射鏡により反射された光が光源自身によって遮られることなく、平面型表示パネルに対して大きな入射角で入射するように発光された光も有効に利用される照明効率の高い直下型バックライト。【解決手段】  光源１の被照射側とは反対の下部側から発生する光線を光源１の被照射側である上部側に有効に反射させるために、１個又は２個の曲面鏡３1 、３2 を光源１の下部側に配置し、１個又は２個の曲面鏡３1 、３2 による反射光をその両端に配置した平面鏡４1 、４2 により光源１の上部側に反射させるようにした断面構造を持つ１個又は２個の曲面鏡３1 、３2 とその両端に配置した２枚の平面鏡４1 、４2 とからなる複合反射鏡２と光源１との組を、被照射面のサイズに応じて１個又は複数個並列配置してなる直下型バックライト。【選択図】        図１
2006269190.tif 000002
【特許請求の範囲】
【請求項１】
光源の被照射側とは反対の下部側から発生する光線を光源の被照射側である上部側に有効に反射させるために、１個又は２個の曲面鏡を光源の下部側に配置し、前記１個又は２個の曲面鏡による反射光を前記１個又は２個の曲面鏡の両端に配置した平面鏡により光源の被照射側である上部側に反射させるようにした断面構造を持つ前記１個又は２個の曲面鏡とその両端に配置した２枚の平面鏡とからなる複合反射鏡と前記光源との組を、被照射面のサイズに応じて１個又は複数個並列配置してなることを特徴とする直下型バックライト。
【請求項２】
前記光源が管状光源からなり、前記１個又は２個の曲面鏡が断面が略面対称な形状の２個の放物面鏡からなり、前記２個の放物面鏡各々の焦点がそれぞれ前記管状光源の表面近傍に位置するように配置されていることを特徴とする請求項１記載の直下型バックライト。
【請求項３】
前記光源が管状光源からなり、前記１個又は２個の曲面鏡が断面が略面対称な形状の２個の楕円面鏡からなり、前記２個の楕円面鏡各々の第１焦点がそれぞれ前記管状光源の表面近傍に位置するように配置されており、前記平面鏡が前記楕円面鏡の第２焦点位置かその外側に位置するように配置されていることを特徴とする請求項１記載の直下型バックライト。
【請求項４】
前記光源が管状光源からなり、前記１個又は２個の曲面鏡が１個の凸面鏡からなることを特徴とする請求項１記載の直下型バックライト。
【請求項５】
請求項１から４の何れか１項記載の直下型バックライトと、その被照射側に配置された液晶表示パネルとからなることを特徴とする液晶表示装置。
【発明の詳細な説明】
【技術分野】
【０００１】
本発明は、直下型バックライトに関し、特に、光源の背後に放射される光束も光源自身によって遮られることなく有効に利用される複合ミラーを用いた高効率直下型バックライトに関するものである。
【背景技術】
【０００２】
液晶表示装置等の平面型表示装置の背後に配置して表示装置用の照明光を照射するバックライトには、表示装置の背後に配置した導光板のエッジに光源を配置するエッジライト型と、表示装置の背後に配置した光源とその光源からの光を反射する反射鏡とからなる直下型とがある。直下型のバックライトは、エッジライト型に比べて薄型化が容易でない反面、高輝度化が容易で大型化に対応可能な特徴がある。
【０００３】
直下型バックライトとしては、図５に示すように、液晶表示パネルｃの背後側に平行に並べて線状光源ａを配置し、光源ａから背後側への発光光を液晶表示パネルｃに向ける断面Ｖ字状の反射鏡ｂを各光源ａの背後に配置するものが知られている（特許文献１、２等）。なお、光源ａと液晶表示パネルｃの間には必要に応じて光拡散板ｄが配置される。
【０００４】
また、図６に示すように、液晶表示パネルｃの背後側に線状光源ａを配置し、光源ａ近傍を第１焦点とし、擬似光源ｆ1 近傍を第２焦点とする楕円反射面を有する楕円面反射鏡ｅ1 と、光源ａ近傍を第１焦点とし擬似光源ｆ2 近傍を第２焦点とする楕円反射面を有する楕円面反射鏡ｅ2 とを一体化した２連楕円面反射鏡ｇを光源ａの背後に配置する直下型バックライトも知られている（特許文献３）。
【特許文献１】特開平７−１１４０２７号公報
【特許文献２】特開２００４−２００１３９号公報
【特許文献３】特開２００５−２４７４６号公報
【発明の開示】
【発明が解決しようとする課題】
【０００５】
従来の図５に示したような直下型バックライトの場合、光源ａから液晶表示パネルｃとは反対側に液晶表示パネルｃと略垂直に発光された光は、断面Ｖ字状の反射鏡ｂで略前方へ反射されるが再び光源ａに入射して遮られるため、その光は無駄になり、照明効率が低下してしまう。
【０００６】
また、図６に示したような直下型バックライトの場合は、図５のような反射光が光源ａで遮られて無駄になる問題はないが、光源ａと擬似光源ｆ1 、ｆ2 から液晶表示パネルｃの面に沿うように大きな入射角になるように発光された光は、そのまま液晶表示パネルｃに大きな入射角で入射して表示には利用されないので、同様に、照明効率が低下してしまう。
【０００７】
本発明は従来技術のこのような問題点に鑑みてなされたものであり、その目的は、光源の背後に配置した反射鏡により反射された光が光源自身によって遮られることなく、また、平面型表示パネルに対して大きな入射角で入射するように発光された光も有効に利用される照明効率の高い直下型バックライトを提供することである。
【課題を解決するための手段】
【０００８】
本発明の直下型バックライトは、光源の被照射側とは反対の下部側から発生する光線を光源の被照射側である上部側に有効に反射させるために、１個又は２個の曲面鏡を光源の下部側に配置し、前記１個又は２個の曲面鏡による反射光を前記１個又は２個の曲面鏡の両端に配置した平面鏡により光源の被照射側である上部側に反射させるようにした断面構造を持つ前記１個又は２個の曲面鏡とその両端に配置した２枚の平面鏡とからなる複合反射鏡と前記光源との組を、被照射面のサイズに応じて１個又は複数個並列配置してなることを特徴とするものである。
【０００９】
この場合、前記光源が管状光源からなり、前記１個又は２個の曲面鏡が断面が略面対称な形状の２個の放物面鏡からなり、前記２個の放物面鏡各々の焦点がそれぞれ前記管状光源の表面近傍に位置するように配置されているものとすることができる。
【００１０】
あるいは、前記光源が管状光源からなり、前記１個又は２個の曲面鏡が断面が略面対称な形状の２個の楕円面鏡からなり、前記２個の楕円面鏡各々の第１焦点がそれぞれ前記管状光源の表面近傍に位置するように配置されており、前記平面鏡が前記楕円面鏡の第２焦点位置かその外側に位置するように配置されているものとすることができる。
【００１１】
又は、前記光源が管状光源からなり、前記１個又は２個の曲面鏡が１個の凸面鏡からなるものとすることができる。
【００１２】
本発明は、以上の何れかの直下型バックライトと、その被照射側に配置された液晶表示パネルとからなる液晶表示装置を含むものである。
【発明の効果】
【００１３】
本発明においては、光源の被照射側とは反対の下部側から発生する光線を光源の被照射側である上部側に有効に反射させるために、１個又は２個の曲面鏡を光源の下部側に配置し、前記１個又は２個の曲面鏡による反射光を前記１個又は２個の曲面鏡の両端に配置した平面鏡により光源の被照射側である上部側に反射させるようにした断面構造を持つ前記１個又は２個の曲面鏡とその両端に配置した２枚の平面鏡とからなる複合反射鏡と前記光源との組を、被照射面のサイズに応じて１個又は複数個並列配置してなるので、光源の背後に配置した複合反射鏡により反射された光が光源自身によって遮られることなく、光源から発せられる全光束を照明光として有効に利用することができ、また、平面型表示パネルに対して大きな入射角で入射するように発光された光も有効に利用でき、照明効率が高く均一な照明が可能な直下型バックライトを得ることができる。
【発明を実施するための最良の形態】
【００１４】
以下、本発明の直下型バックライトを実施例に基づいて説明する。
【００１５】
図１は、本発明の実施例１の直下型バックライトの管状光源に中心軸に垂直にとった断面図である。この実施例の直下型バックライトは、蛍光等の管状光源１を配置し、その中心軸を通る平面をＡ−Ａ’として、管状光源１の背後に平面Ａ−Ａ’に対して略対称な形状で管状光源１と平行に延びる複合反射鏡２を配置してなるものである。複合反射鏡２は、平面Ａ−Ａ’に対して略対称な形状で相互に接続されてなる２枚の放物面鏡３1 、３2 と、その放物面鏡３1 、３2 両側に接続され平面Ａ−Ａ’に対して略対称に位置する２枚の平面鏡４1 、４2 とからなるものであり、放物面鏡３1 、３2 の焦点３１1 、３１2 はそれぞれ管状光源１の表面近傍に位置するように配置されている。
【００１６】
このような構成において、管状光源１の下部（複合反射鏡２側）及び両側の管壁から発光した光線は、放物面鏡３1 、３2 により平面Ａ−Ａ’に対して相互に反対に向かう方向に反射され、その反射光はそれぞれ平面鏡４1 、４2 によって複合反射鏡２側とは反対の図１の上方へ反射され、管状光源１に対して複合反射鏡２側とは反対側に配置される液晶表示パネル（図示なし）を背後からその略垂直方向へ照明することになる（光線ｘ）。そのため、管状光源１の背後に配置した複合反射鏡２により反射された光が光源１自身によって遮られることはなく、管状光源１の真上から離れた部分を照射することになり、有効に液晶表示パネルの照明に用いられる。また、管状光源１の上部から発光した光線は、直接液晶表示パネルの管状光源１の真上を中心とした部分に直接入射して照明に用いられる（光線ｙ）。さらに、管状光源１の両側上部から発光した光線は、平面鏡４1 、４2 の端部近傍に入射して上方へ反射され、直接液晶表示パネルの背後に斜め方向から入射する（光線ｚ）。したがって、液晶表示パネルに対して大きな入射角になるように発光された光も有効に照明に利用される。
【００１７】
本実施例の直下型バックライトはこのような構成であるので、液晶表示パネル等の平面型表示装置のバックライトとして用いるとき、管状光源１から発せられる全光束が有効に照明に利用される。
【００１８】
本実施例の構成では、複合反射鏡２の放物面鏡３1 、３2 部分で反射され、平面鏡４1 、４2 で再度反射される成分が略平行光となって液晶表示パネルに略垂直に入射するので、表示面に対して特に垂直方向の輝度が向上する。ただし、視野角は広くとることは困難である。
【００１９】
図２は、本発明の実施例２の直下型バックライトの管状光源に中心軸に垂直にとった断面図である。この実施例の直下型バックライトは、蛍光等の管状光源１を配置し、その中心軸を通る平面をＡ−Ａ’として、管状光源１の背後に平面Ａ−Ａ’に対して略対称な形状で管状光源１と平行に延びる複合反射鏡２を配置してなるものである。複合反射鏡２は、平面Ａ−Ａ’に対して略対称な形状で相互に接続されてなる２枚の楕円面鏡５1 、５2 と、その楕円面鏡５1 、５2 両側に接続され平面Ａ−Ａ’に対して略対称に位置する２枚の平面鏡４1 、４2 とからなるものであり、楕円面鏡５1 、５2 の第１焦点５１1 、５１2 はそれぞれ管状光源１の表面近傍に位置するように配置されており、平面鏡４1 、４2 は、楕円面鏡５1 、５2 の第２焦点５２1 、５２2 位置かその外側に位置するように配置されている。
【００２０】
このような構成において、管状光源１の下部（複合反射鏡２側）及び両側の管壁から発光した光線は、楕円面鏡５1 、５2 により平面Ａ−Ａ’に対して相互に反対であって第２焦点５２1 、５２2 近傍に向かう方向に反射され、その反射光はそれぞれ平面鏡４1 、４2 によって複合反射鏡２側とは反対の図２の上方へ拡散光として反射され、管状光源１に対して複合反射鏡２側とは反対側に配置される液晶表示パネル（図示なし）を背後から拡散光として照明することになる（光線ｘ’）。そのため、管状光源１の背後に配置した複合反射鏡２により反射された光が光源１自身によって遮られることはなく、管状光源１の真上から離れた部分を拡散照明することになり、有効に液晶表示パネルの照明に用いられる。また、管状光源１の上部から発光した光線は、直接液晶表示パネルの管状光源１の真上を中心とした部分に直接入射して照明に用いられる（光線ｙ’）。さらに、管状光源１の両側上部から発光した光線は、平面鏡４1 、４2 の端部近傍に入射して上方へ反射され、直接液晶表示パネルの背後に斜め方向から入射する（光線ｚ’）。したがって、液晶表示パネルに対して大きな入射角になるように発光された光も有効に照明に利用される。
【００２１】
本実施例の直下型バックライトはこのような構成であるので、液晶表示パネル等の平面型表示装置のバックライトとして用いるとき、管状光源１から発せられる全光束が有効に照明に利用される。
【００２２】
本実施例の構成では、複合反射鏡２の楕円面鏡５1 、５2 部分で反射され、平面鏡４1 、４2 で再度反射される成分が拡散光となって管状光源１の真上から離れた部分の照度を補うので、表示面の輝度の均一性が良くなり、また、視野角を広くとることができる。
【００２３】
なお、この実施例において、平面鏡４1 、４2 を楕円面鏡５1 、５2 の第２焦点５２1 、５２2 より内側に位置するように配置すると、楕円面鏡５1 、５2 割合が小さくなり、照明の効率と均一性が悪くなってしまう。
【００２４】
図３は、本発明の実施例３の直下型バックライトの管状光源に中心軸に垂直にとった断面図である。この実施例の直下型バックライトは、蛍光等の管状光源１を配置し、その中心軸を通る平面をＡ−Ａ’として、管状光源１の背後に平面Ａ−Ａ’に対して略対称な形状で管状光源１と平行に延びる複合反射鏡２を配置してなるものである。複合反射鏡２は、平面Ａ−Ａ’に対して略対称な形状の１枚の楕円面鏡等の凸面鏡６と、その凸面鏡６の両側に接続され平面Ａ−Ａ’に対して略対称に位置する２枚の平面鏡４1 、４2 とからなるものである。
【００２５】
このような構成において、管状光源１の下部（複合反射鏡２側）の管壁から発光した光線は、凸面鏡６により凸面鏡６の背後から発散する方向に反射され、その反射光の一部は管状光源１自身によって遮られることはなく、管状光源１の真上から離れた部分を拡散照明する（光線ｗ”）。また、凸面鏡６の背後から平面Ａ−Ａ’に対して相互に反対方向へて反射された一部の反射光はそれぞれ平面鏡４1 、４2 によって複合反射鏡２側とは反対の図３の上方へ拡散光として反射され、管状光源１に対して複合反射鏡２側とは反対側に配置される液晶表示パネル（図示なし）を背後から拡散光として照明することになる（光線ｘ”）。そのため、管状光源１の背後に配置した複合反射鏡２により反射された光が光源１自身によって遮られる割合は極めて小さくなり、管状光源１の真上から離れた部分を拡散照明することになり、有効に液晶表示パネルの照明に用いられる。また、管状光源１の上部から発光した光線は、直接液晶表示パネルの管状光源１の真上を中心とした部分に直接入射して照明に用いられる（光線ｙ”）。さらに、管状光源１の両側上部から発光した光線は、平面鏡４1 、４2 の端部近傍に入射して上方へ反射され、直接液晶表示パネルの背後に斜め方向から入射する（光線ｚ”）。したがって、液晶表示パネルに対して大きな入射角になるように発光された光も有効に照明に利用される。
【００２６】
本実施例の直下型バックライトはこのような構成であるので、液晶表示パネル等の平面型表示装置のバックライトとして用いるとき、管状光源１から発せられるほとんど全ての光束が有効に照明に利用される。
【００２７】
本実施例の構成では、複合反射鏡２の凸面鏡６部分で反射され、液晶表示パネルを直接入射する成分と、平面鏡４1 、４2 で再度反射されて入射する成分とが拡散光となって管状光源１の真上から離れた部分の照度を補うので、表示面の輝度の均一性が良くなり、また、視野角をある程度広くとることができる。この実施例は、表示面に対する垂直方向の輝度と照明の均一性をバランスさせる構成である。
【００２８】
さて、以上のような実施例１〜３の何れかの管状光源１と複合反射鏡２の組を、液晶表示パネル等の平面型表示パネルの表示画面サイズに対応するように繰り返し並列配置することにより、大画面用の直下型バックライトを構成することができる。その場合の断面図を図４に示す。この例では、実施例２の構成を４組平行に隙間なく並べることで、大画面の液晶表示パネルｃの直下型バックライトを構成している。
【００２９】
以上、本発明の直下型バックライトを実施例に基づいて説明してきたが、本発明はこれら実施例に限定されず種々の変形が可能である。
【図面の簡単な説明】
【００３０】
【図１】本発明の実施例１の直下型バックライトの管状光源に中心軸に垂直にとった断面図である。
【図２】本発明の実施例２の直下型バックライトの図１と同様の断面図である。
【図３】本発明の実施例３の直下型バックライトの図１と同様の断面図である。
【図４】実施例２の構成を４組平行に隙間なく並べた構成の直下型バックライトの断面図である。
【図５】従来の１つの直下型バックライトの断面図である。
【図６】従来の別の直下型バックライトの断面図である。
【符号の説明】
【００３１】
１…管状光源
２…複合反射鏡
３1 、３2 …放物面鏡
４1 、４2 …平面鏡
５1 、５2 …楕円面鏡
６…凸面鏡
３１1 、３１2 …放物面鏡の焦点
５１1 、５１2 …楕円面鏡の第１焦点
５２1 、５２2 …楕円面鏡の第２焦点
ｃ…液晶表示パネル
ａ…線状光源
ｂ…断面Ｖ字状の反射鏡
ｄ…光拡散板
ｄが配置されているが、必須のものではない。
ｅ1 、ｅ2 …楕円面反射鏡
ｆ1 、ｆ2 …擬似光源
ｇ…２連楕円面反射鏡
ｘ、ｘ’、ｘ”…光線
ｙ、ｙ’、ｙ”…光線
ｚ、ｚ’、ｚ”…光線
ｗ”…光線
【図１】
2006269190.tif 000003
【図２】
2006269190.tif 000004
【図３】
2006269190.tif 000005
【図４】
2006269190.tif 000006
【図５】
2006269190.tif 000007
【図６】
2006269190.tif 000008